(57)【特許請求の範囲】
【請求項１】
動脈側血液回路及び静脈側血液回路から成るとともに、当該動脈側血液回路の先端から静脈側血液回路の先端まで患者の血液を体外循環させ得る血液回路と、
該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、
前記血液浄化手段の透析液流路の入口及び出口に接続された透析液導入ライン及び透析液排出ラインと、
を具備し、血液浄化治療前に前記血液浄化手段の血液浄化膜には保護剤が塗布されており、当該治療前のプライミング時、前記血液回路及び前記血液浄化手段の血液流路と、前記血液浄化手段の透析液流路とにプライミング液を供給して充填可能とされた血液浄化装置において、
プライミング時、プライミング液に含まれる不純物としての前記保護剤を検出可能な検出手段を具備し、当該検出手段により前記保護剤が検出されなくなったことを条件としてプライミングを終了させる制御が行われることを特徴とする血液浄化装置。
【請求項２】
前記検出手段は、
前記プライミング液に対して光を照射し得る発光手段と、
前記プライミング液を透過又は反射した前記発光手段からの透過光又は反射光を受け得る受光手段と、
前記受光手段による受光強度を検出し得る受光強度検出手段と、
を具備し、当該受光強度検出手段により検出された受光強度に基づきプライミング液内の前記保護剤を検出し得ることを特徴とする請求項１記載の血液浄化装置。
【請求項３】
前記検出手段は、前記受光強度検出手段で検出された受光強度に基づいて、前記プライミング液内の前記保護剤に加えて、当該プライミング液内の気泡を検出し得ることを特徴とする請求項２記載の血液浄化装置。
【請求項４】
前記動脈側血液回路又は静脈側血液回路に接続された動脈側エアトラップチャンバ又は静脈側エアトラップチャンバから延設され、当該動脈側血液回路又は静脈側血液回路に供給されたプライミング液を外部に排出し得るオーバーフローラインを具備するとともに、前記検出手段は、当該オーバーフローラインに配設されたことを特徴とする請求項１〜３の何れか１つに記載の血液浄化装置。
【請求項５】
前記検出手段は、当該透析液排出ラインに配設されたことを特徴とする請求項１〜４の何れか１つに記載の血液浄化装置。
【請求項６】
プライミング時、前記血液浄化手段の血液浄化膜を介して前記血液流路から透析液流路にプライミング液として透析液を濾過させる正濾過工程を行わせる制御手段を具備するとともに、前記検出手段は、当該正濾過工程時に前記透析液排出ラインを流れるプライミング液内の前記保護剤を検出可能とされたことを特徴とする請求項５記載の血液浄化装置。
【請求項７】
前記検出手段は、治療中、前記透析液排出ラインを流れる透析液中の不純物の濃度を検出し得ることを特徴とする請求項５又は請求項６記載の血液浄化装置。
【請求項８】
前記動脈側血液回路又は静脈側血液回路に接続された動脈側エアトラップチャンバ又は静脈側エアトラップチャンバから延設され、当該動脈側血液回路又は静脈側血液回路に供給されたプライミング液を外部に排出し得るオーバーフローラインを具備するとともに、前記検出手段は、当該オーバーフローライン又は前記血液回路と、前記透析液排出ラインとにそれぞれ配設されたことを特徴とする請求項１〜３の何れか１つに記載の血液浄化装置。
【請求項９】
動脈側血液回路及び静脈側血液回路から成るとともに、当該動脈側血液回路の先端から静脈側血液回路の先端まで患者の血液を体外循環させ得る血液回路と、
該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、
前記血液浄化手段の透析液流路の入口及び出口に接続された透析液導入ライン及び透析液排出ラインと、
を具備し、血液浄化治療前に前記血液浄化手段の血液浄化膜には保護剤が塗布されており、当該治療前のプライミング時、前記血液回路及び前記血液浄化手段の血液流路と、前記血液浄化手段の透析液流路とにプライミング液を供給して充填可能とされた血液浄化装置のプライミング方法において、
プライミング時、プライミング液に含まれる不純物としての前記保護剤を検出し、当該保護剤が検出されなくなったことを条件としてプライミングを終了させることを特徴とする血液浄化装置のプライミング方法。
【請求項１０】
前記血液浄化装置は、
前記プライミング液に対して光を照射し得る発光手段と、
前記プライミング液を透過又は反射した前記発光手段からの透過光又は反射光を受け得る受光手段と、
前記受光手段による受光強度を検出し得る受光強度検出手段と、
を具備した検出手段を有し、当該受光強度検出手段により検出された受光強度に基づきプライミング液内の前記保護剤を検出することを特徴とする請求項９記載の血液浄化装置のプライミング方法。
【請求項１１】
前記検出手段は、前記受光強度検出手段で検出された受光強度に基づいて、前記プライミング液内の前記保護剤に加えて、当該プライミング液内の気泡を検出することを特徴とする請求項１０記載の血液浄化装置のプライミング方法。
【請求項１２】
前記血液浄化装置は、前記動脈側血液回路又は静脈側血液回路に接続された動脈側エアトラップチャンバ又は静脈側エアトラップチャンバから延設され、当該動脈側血液回路又は静脈側血液回路に供給されたプライミング液を外部に排出し得るオーバーフローラインを具備するとともに、前記検出手段は、当該オーバーフローラインに配設されたことを特徴とする請求項１０又は請求項１１記載の血液浄化装置のプライミング方法。
【請求項１３】
前記検出手段は、当該透析液排出ラインに配設されたことを特徴とする請求項１０〜１２の何れか１つに記載の血液浄化装置のプライミング方法。
【請求項１４】
前記血液浄化装置は、プライミング時、前記血液浄化手段の血液浄化膜を介して前記血液流路から透析液流路にプライミング液として透析液を濾過させる正濾過工程を行わせる制御手段を具備するとともに、前記検出手段は、当該正濾過工程時に前記透析液排出ラインを流れるプライミング液内の前記保護剤を検出することを特徴とする請求項１３記載の血液浄化装置のプライミング方法。
【請求項１５】
前記検出手段は、治療中、前記透析液排出ラインを流れる透析液中の不純物の濃度を検出することを特徴とする請求項１３又は請求項１４記載の血液浄化装置のプライミング方法。
【請求項１６】
前記動脈側血液回路又は静脈側血液回路に接続された動脈側エアトラップチャンバ又は静脈側エアトラップチャンバから延設され、当該動脈側血液回路又は静脈側血液回路に供給されたプライミング液を外部に排出し得るオーバーフローラインを具備するとともに、前記検出手段は、当該オーバーフローライン又は前記血液回路と、前記透析液排出ラインとにそれぞれ配設されたことを特徴とする請求項１０又は請求項１１記載の血液浄化装置のプライミング方法。
【発明の詳細な説明】
【技術分野】
【０００１】
本発明は、ダイアライザを使用した透析治療など、患者の血液を体外循環させつつ浄化するための血液浄化装置及びそのプライミング方法に関するものである。
【背景技術】
【０００２】
一般に、透析治療時においては、採取した患者の血液を体外循環させて再び体内に戻すための血液回路が用いられており、かかる血液回路は、例えば中空糸膜（血液浄化膜）を具備したダイアライザ（血液浄化手段）と接続し得る動脈側血液回路及び静脈側血液回路から主に構成されている。これら動脈側血液回路及び静脈側血液回路の各先端には、動脈側穿刺針及び静脈側穿刺針が取り付けられ、それぞれが患者に穿刺されて透析治療における血液の体外循環が行われることとなる。
【０００３】
そして、透析治療の前には、通常、生理食塩液等のプライミング液を血液回路内に供給して充填させることにより、当該血液回路内を洗浄する「プライミング」と称される工程が行われる。従来のプライミング方法として、例えば特許文献１にて開示されているように、プライミング液としての生理食塩液を動脈側血液回路及び静脈側血液回路に供給しつつオーバーフローラインから排出させるとともに、生理食塩液内に気泡が検出されなくなったことを条件として、プライミングを終了させる方法が挙げられる。
【先行技術文献】
【特許文献】
【０００４】
【特許文献１】特開２０１０−２７３６９３号公報
【発明の概要】
【発明が解決しようとする課題】
【０００５】
上記従来の血液浄化装置においては、以下の如き問題があった。
ダイアライザが具備する血液浄化膜（中空糸膜）には、通常、中空糸膜を保護するための種々の保護剤（例えば、膜の親水化剤としてのＰＶＰ（ポリビニルピロリドン）若しくは膜の凍結防止のための保湿剤としてのグリセリン等）が塗布されているとともに、当該血液浄化膜の製造又は滅菌工程に生じる溶出物や残留薬液等が付着している場合があり、プライミング時に、そのような不純物が生理食塩液等のプライミング液に混入し、そのまま残存してしまう虞があった。
【０００６】
すなわち、従来の血液浄化装置においては、予め定められた所定量のプライミング液を供給するとともに、単にプライミング液内に気泡がなくなったことを条件として、プライミングを終了させていたため、プライミング液内に保護剤等の不純物が残存しているか否かを確認しておらず、不純物の残存の可能性が高くなってしまうという不具合があったのである。また、従来の血液浄化装置においては、プライミング液内に不純物が残存することがないように、比較的多めのプライミング液を血液回路に供給する必要があるので、プライミングの使用量が多くなってしまうとともにプライミング時間が長くなってしまうという不具合がある。
【０００７】
さらに、他の従来の血液浄化装置においては、ダイアライザの膜材質や膜面積に関わらず一律の量のプライミング液をプライミング時に使用する場合があり、この場合、過剰な量のプライミング液を使用していることが多い。特に、透析液をプライミング液として使用するものの場合、プライミング液の使用量の増加は、透析液作製量の増加に繋がってしまい、コストが嵩んでしまうという不具合がある。
【０００８】
本発明は、このような事情に鑑みてなされたもので、プライミングによる血液回路及び血液浄化膜の洗浄をより確実に行わせることができるとともに、プライミング液の使用量を適正とすることができる血液浄化装置及びそのプライミング方法を提供することにある。
【課題を解決するための手段】
【０００９】
請求項１記載の発明は、動脈側血液回路及び静脈側血液回路から成るとともに、当該動脈側血液回路の先端から静脈側血液回路の先端まで患者の血液を体外循環させ得る血液回路と、該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、前記血液浄化手段の透析液流路の入口及び出口に接続された透析液導入ライン及び透析液排出ラインとを具備し、血液浄化治療前に前記血液浄化手段の血液浄化膜には保護剤が塗布されており、当該治療前のプライミング時、前記血液回路及び前記血液浄化手段の血液流路と、前記血液浄化手段の透析液流路とにプライミング液を供給して充填可能とされた血液浄化装置において、プライミング時、プライミング液に含まれる不純物としての前記保護剤を検出可能な検出手段を具備し、当該検出手段により前記保護剤が検出されなくなったことを条件としてプライミングを終了させる制御が行われることを特徴とする。
【００１０】
請求項２記載の発明は、請求項１記載の血液浄化装置において、前記検出手段は、前記プライミング液に対して光を照射し得る発光手段と、前記プライミング液を透過又は反射した前記発光手段からの透過光又は反射光を受け得る受光手段と、前記受光手段による受光強度を検出し得る受光強度検出手段とを具備し、当該受光強度検出手段により検出された受光強度に基づきプライミング液内の前記保護剤を検出し得ることを特徴とする。
【００１１】
請求項３記載の発明は、請求項２記載の血液浄化装置において、前記検出手段は、前記受光強度検出手段で検出された受光強度に基づいて、前記プライミング液内の前記保護剤に加えて、当該プライミング液内の気泡を検出し得ることを特徴とする。
【００１２】
請求項４記載の発明は、請求項１〜３の何れか１つに記載の血液浄化装置において、前記動脈側血液回路又は静脈側血液回路に接続された動脈側エアトラップチャンバ又は静脈側エアトラップチャンバから延設され、当該動脈側血液回路又は静脈側血液回路に供給されたプライミング液を外部に排出し得るオーバーフローラインを具備するとともに、前記検出手段は、当該オーバーフローラインに配設されたことを特徴とする。
【００１３】
請求項５記載の発明は、請求項１〜４の何れか１つに記載の血液浄化装置において、前記検出手段は、当該透析液排出ラインに配設されたことを特徴とする。
【００１４】
請求項６記載の発明は、請求項５記載の血液浄化装置において、プライミング時、前記血液浄化手段の血液浄化膜を介して前記血液流路から透析液流路に透析液を濾過させる正濾過工程を行わせる制御手段を具備するとともに、前記検出手段は、当該正濾過工程時に前記透析液排出ラインを流れるプライミング液内の前記保護剤を検出可能とされたことを特徴とする。
【００１５】
請求項７記載の発明は、請求項５又は請求項６記載の血液浄化装置において、前記検出手段は、治療中、前記透析液排出ラインを流れる透析液中の不純物の濃度を検出し得ることを特徴とする。
請求項８記載の発明は、請求項１〜３の何れか１つに記載の血液浄化装置において、前記動脈側血液回路又は静脈側血液回路に接続された動脈側エアトラップチャンバ又は静脈側エアトラップチャンバから延設され、当該動脈側血液回路又は静脈側血液回路に供給されたプライミング液を外部に排出し得るオーバーフローラインを具備するとともに、前記検出手段は、当該オーバーフローライン又は前記血液回路と、前記透析液排出ラインとにそれぞれ配設されたことを特徴とする。
【００１６】
請求項９記載の発明は、動脈側血液回路及び静脈側血液回路から成るとともに、当該動脈側血液回路の先端から静脈側血液回路の先端まで患者の血液を体外循環させ得る血液回路と、該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成された血液浄化手段と、前記血液浄化手段の透析液流路の入口及び出口に接続された透析液導入ライン及び透析液排出ラインと、具備し、血液浄化治療前に前記血液浄化手段の血液浄化膜には保護剤が塗布されており、当該治療前のプライミング時、前記血液回路及び前記血液浄化手段の血液流路と、前記血液浄化手段の透析液流路とにプライミング液を供給して充填可能とされた血液浄化装置のプライミング方法において、プライミング時、プライミング液に含まれる不純物としての前記保護剤を検出し、当該保護剤が検出されなくなったことを条件としてプライミングを終了させることを特徴とする。
【００１７】
請求項１０記載の発明は、請求項９記載の血液浄化装置のプライミング方法において、前記血液浄化装置は、前記プライミング液に対して光を照射し得る発光手段と、前記プライミング液を透過又は反射した前記発光手段からの透過光又は反射光を受け得る受光手段と、前記受光手段による受光強度を検出し得る受光強度検出手段とを具備した検出手段を有し、当該受光強度検出手段により検出された受光強度に基づきプライミング液内の前記保護剤を検出することを特徴とする。
【００１８】
請求項１１記載の発明は、請求項１０記載の血液浄化装置のプライミング方法において、前記検出手段は、前記受光強度検出手段で検出された受光強度に基づいて、前記プライミング液内の前記保護剤に加えて、当該プライミング液内の気泡を検出することを特徴とする。
【００１９】
請求項１２記載の発明は、請求項１０又は請求項１１記載の血液浄化装置のプライミング方法において、前記血液浄化装置は、前記動脈側血液回路又は静脈側血液回路に接続された動脈側エアトラップチャンバ又は静脈側エアトラップチャンバから延設され、当該動脈側血液回路又は静脈側血液回路に供給されたプライミング液を外部に排出し得るオーバーフローラインを具備するとともに、前記検出手段は、当該オーバーフローラインに配設されたことを特徴とする。
【００２０】
請求項１３記載の発明は、請求項１０〜１２の何れか１つに記載の血液浄化装置のプライミング方法において、前記検出手段は、当該透析液排出ラインに配設されたことを特徴とする。
【００２１】
請求項１４記載の発明は、請求項１３記載の血液浄化装置のプライミング方法において、前記血液浄化装置は、プライミング時、前記血液浄化手段の血液浄化膜を介して前記血液流路から透析液流路にプライミング液として透析液を濾過させる正濾過工程を行わせる制御手段を具備するとともに、前記検出手段は、当該正濾過工程時に前記透析液排出ラインを流れるプライミング液内の前記保護剤を検出することを特徴とする。
【００２２】
請求項１５記載の発明は、請求項１３又は請求項１４記載の血液浄化装置のプライミング方法において、前記検出手段は、治療中、前記透析液排出ラインを流れる透析液中の不純物の濃度を検出することを特徴とする。
請求項１６記載の発明は、請求項１０又は請求項１１記載の血液浄化装置のプライミング方法において、前記動脈側血液回路又は静脈側血液回路に接続された動脈側エアトラップチャンバ又は静脈側エアトラップチャンバから延設され、当該動脈側血液回路又は静脈側血液回路に供給されたプライミング液を外部に排出し得るオーバーフローラインを具備するとともに、前記検出手段は、当該オーバーフローライン又は前記血液回路と、前記透析液排出ラインとにそれぞれ配設されたことを特徴とする。
【発明の効果】
【００２３】
請求項１、９の発明によれば、プライミング時、プライミング液に含まれる不純物としての保護剤を検出するので、プライミングによる血液回路及び血液浄化膜の洗浄をより確実に行わせることができるとともに、プライミング液の使用量を適正とすることができる。
【００２４】
請求項２、１０の発明によれば、プライミング液に対して光を照射し得る発光手段と、プライミング液を透過又は反射した発光手段からの透過光又は反射光を受け得る受光手段と、受光手段による受光強度を検出し得る受光強度検出手段とを具備した検出手段を有し、当該受光強度検出手段により検出された受光強度に基づきプライミング液内の保護剤を検出し得るので、より高精度な保護剤の検出を行わせることができる。
【００２５】
また、検出手段における光学的検出（光の照射及び受光）によりプライミング液内の保護剤を検出可能とされているので、保護剤の検出精度を高めることができるとともに、流路を流動するプライミング液中の保護剤を検出可能であることから、プライミング液の採取等が不要とされ、保護剤の検出を容易かつ円滑に行わせることができる。
【００２６】
請求項３、１１の発明によれば、検出手段は、受光強度検出手段で検出された受光強度に基づいて、プライミング液内の保護剤に加えて、当該プライミング液内の気泡を検出し得るので、プライミング液内の保護剤の検出機能と気泡の検出機能とを兼ね備えさせることができ、プライミング内の保護剤を検出するための手段と気泡を検出するための手段とをそれぞれを具備したものに比べ、装置構成を簡素化することができ、製造コスト及びメンテナンスコストを低下させることができる。
【００２７】
請求項４、１２の発明によれば、動脈側血液回路又は静脈側血液回路に接続された動脈側エアトラップチャンバ又は静脈側エアトラップチャンバから延設され、当該動脈側血液回路又は静脈側血液回路に供給されたプライミング液を外部に排出し得るオーバーフローラインを具備するとともに、検出手段は、当該オーバーフローラインに配設されたので、オーバーフローラインから排出されるプライミング液内の保護剤を検出することができ、より確実に保護剤を外部に排出させることができる。
【００２８】
請求項５、１３の発明によれば、検出手段は、当該透析液排出ラインに配設されたので、透析液排出ラインを流れるプライミング液内の保護剤を検出することができ、血液流路に加え、透析液流路の洗浄を確実に行わせることができる。
【００２９】
請求項６、１４の発明によれば、プライミング時、血液浄化手段の血液浄化膜を介して血液流路から透析液流路に透析液を濾過させる正濾過工程を行わせる制御手段を具備するとともに、検出手段は、当該正濾過工程時に透析液排出ラインを流れるプライミング液内の保護剤を検出可能とされたので、血液浄化膜に形成された孔に充填された保護剤も確実に除去することができ、血液浄化膜の洗浄をより確実に行わせることができ、かつ、透析液排出ラインを介して保護剤を確実に外部へ排出させることができる。
【００３０】
請求項７、１５の発明によれば、検出手段は、治療中、透析液排出ラインを流れる透析液中の不純物の濃度を検出し得るので、プライミング時においては、血液浄化膜の洗浄を確認し得るとともに、治療時においては、血液浄化膜にて血液から濾過された不純物の濃度に基づいて、透析効率を確認することができる。
【図面の簡単な説明】
【００３１】
【図１】本発明の第１の実施形態に係る血液浄化装置を示す模式図
【図２】同血液浄化装置における血液浄化手段（ダイアライザ）を示す模式図
【図３】同血液浄化装置における検出手段を示す模式図
【図４】同血液浄化装置における検出手段を示すブロック図
【図５】同血液浄化装置における検出手段の受光強度検出手段で検出された受光電圧の変化を示すグラフ
【図６】同血液浄化装置におけるプライミング時の血液回路側の状態を示す模式図
【図７】同血液浄化装置におけるプライミング時の血液回路側の状態を示す模式図
【図８】同血液浄化装置におけるプライミング時の血液回路側の状態を示す模式図
【図９】同血液浄化装置におけるプライミング時の透析液導入ライン及び透析液排出ライン側の状態を示す模式図
【図１０】本発明の第２の実施形態に係る血液浄化装置におけるプライミングのための作業過程を示す模式図
【図１１】同血液浄化装置におけるプライミングのための作業過程を示す模式図
【図１２】同血液浄化装置におけるプライミングのための作業過程を示す模式図
【図１３】本発明の第３の実施形態に係る血液浄化装置を示す模式図
【図１４】同血液浄化装置におけるプライミング時の状態を示す模式図
【図１５】本発明の第４の実施形態に係る血液浄化装置を示す模式図
【図１６】同血液浄化装置におけるプライミング時の状態を示す模式図
【図１７】同血液浄化装置におけるプライミング時の状態を示す模式図
【発明を実施するための形態】
【００３２】
以下、本発明の実施形態について図面を参照しながら具体的に説明する。
第１の実施形態に係る血液浄化装置は、血液透析治療を行うための透析装置から成り、図１に示すように、動脈側血液回路１及び静脈側血液回路２から成る血液回路と、動脈側血液回路１及び静脈側血液回路２の間に介装されて血液回路を流れる血液を浄化するダイアライザ３（血液浄化手段）と、動脈側血液回路１に配設されたしごき型の血液ポンプ４と、動脈側血液回路１に接続された動脈側エアトラップチャンバ５と、静脈側血液回路２に接続された静脈側エアトラップチャンバ６と、プライミング液としての生理食塩液を収容した収容手段１０と、該収容手段１０と動脈側血液回路１とを連結したプライミング液供給ラインＬ８と、複式ポンプ７と、制御手段１１と、検出手段（１２ａ、１２ｂ）とから主に構成されている。
【００３３】
動脈側血液回路１には、その先端にコネクタａを介して動脈側穿刺針（不図示）が接続されるとともに、途中にしごき型の血液ポンプ４及び動脈側エアトラップチャンバ５が配設されている一方、静脈側血液回路２には、その先端にコネクタｂを介して静脈側穿刺針（不図示）が接続されるとともに、途中に静脈側エアトラップチャンバ６が接続されている。
【００３４】
そして、動脈側穿刺針及び静脈側穿刺針を患者に穿刺した状態で、血液ポンプ４を駆動させると、患者の血液は、動脈側エアトラップチャンバ５で除泡がなされつつ動脈側血液回路１を通ってダイアライザ３に至った後、該ダイアライザ３によって血液浄化が施され、静脈側エアトラップチャンバ６で除泡がなされつつ静脈側血液回路２を通って患者の体内に戻る。しかして、患者の血液を血液回路の動脈側血液回路１の先端から静脈側血液回路２の先端まで体外循環させつつダイアライザ３にて浄化するのである。
【００３５】
静脈側エアトラップチャンバ６には、その上部（空気層側）から延びて先端が大気開放とされたオーバーフローラインＬ７が延設されており、動脈側血液回路１又は静脈側血液回路２に供給されて当該静脈側エアトラップチャンバ６をオーバーフローしたプライミング液等の液体を外部に排出させ得るよう構成されている。このオーバーフローラインＬ７には、電磁弁Ｖ９が配設されており、当該オーバーフローラインＬ７の流路を任意に閉塞又は開放可能とされている。
【００３６】
しかるに、治療前のプライミング時、動脈側血液回路１の先端のコネクタａと静脈側血液回路先端２の先端のコネクタｂとを接続して当該動脈側血液回路１と静脈側血液回路２とを連通可能とされている。このような連通状態においては、血液回路はプライミング液（透析液）を循環可能な閉回路とされており、電磁弁Ｖ９を開状態とすることにより、オーバーフローラインＬ７を開放させて、血液回路の内部のプライミング液（透析液）を外部に排出可能とされている。
【００３７】
ダイアライザ３は、その筐体部に、血液導入口３ａ（血液導入ポート）、血液導出口３ｂ（血液導出ポート）、透析液導入口３ｃ（透析液流路入口：透析液導入ポート）及び透析液導出口３ｄ（透析液流路出口：透析液導出ポート）が形成されており、このうち血液導入口３ａには動脈側血液回路１の基端部が、血液導出口３ｂには静脈側血液回路２の基端部がそれぞれ接続されている。また、透析液導入口３ｃ及び透析液導出口３ｄは、透析装置本体から延設された透析液導入ラインＬ１及び透析液排出ラインＬ２とそれぞれ接続されている。
【００３８】
ダイアライザ３内には、図２に示すように、複数の中空糸膜Ｍが収容されており、この中空糸膜Ｍが血液を浄化するための血液浄化膜を構成している。より具体的には、かかる中空糸膜Ｍは、内部が血液流路αかつ外部（中空糸膜Ｍの外周面と筐体を構成するケースＣの内周面との間に形成された流路）が透析液流路βとされるとともに、当該中空糸膜Ｍの外周面と内周面とを貫通した微小な孔（ポア）が多数形成されている。
【００３９】
しかして、中空糸膜Ｍを介して患者の血液が流れる血液流路α及び透析液が流れる透析液流路βが形成されているのである。そして、動脈側血液回路１を流れた血液は、血液流路αを通過して静脈側血液回路２に至るとともに、透析液導入ラインＬ１を流れた透析液は、透析液流路βを通過して透析液排出ラインＬ２に至るものとされ、当該中空糸膜Ｍを介して血液中の不純物等が透析液内に濾過し得るよう構成されている。
【００４０】
複式ポンプ７は、透析装置本体内で透析液導入ラインＬ１及び透析液排出ラインＬ２に跨って配設され、透析液を送液させるためのポンプから成るとともに、当該透析装置本体には、ダイアライザ３中を流れる患者の血液から水分を除去するための除水ポンプ８が配設されている。なお、透析液導入ラインＬ１の一端は、ダイアライザ３（透析液導入口３ｃ）に接続されるとともに、他端は、所定濃度の透析液を調製する透析液供給装置（不図示）に接続されている。
【００４１】
透析液導入ラインＬ１における複式ポンプ７（吸入側）とダイアライザ３との間には、透析液を清浄化するための濾過フィルタ９ａ、９ｂが接続されている。また、濾過フィルタ９ａ、９ｂと透析液排出ラインＬ２との間には、バイパスラインＬ５、Ｌ６が連結されており、当該バイパスラインＬ５、Ｌ６には、流路を閉塞又は開放可能な電磁弁Ｖ６、Ｖ７がそれぞれ配設されている。
【００４２】
さらに、透析液排出ラインＬ２の一端は、ダイアライザ３（透析液導出口３ｄ）に接続されるとともに、他端が図示しない排液手段と接続されており、透析液供給装置から供給された透析液が透析液導入ラインＬ１を通ってダイアライザ３の透析液流路βに至った後、透析液排出ラインＬ２を通って排液手段に送られるようになっている。また、透析液排出ラインＬ２には、複式ポンプ７（吐出側）を迂回するバイパスラインＬ３、Ｌ４が接続されている。そして、バイパスラインＬ３には、除水ポンプ８が配設されるとともに、バイパスラインＬ４には、流路を閉塞又は開放可能な電磁弁Ｖ５が配設されている。
【００４３】
また、透析液導入ラインＬ１及び透析液排出ラインＬ２における一端側（ダイアライザ３との接続端側）には、それぞれ電磁弁Ｖ３、Ｖ４が配設されており、ダイアライザ３に導入又は排出される透析液の流路を閉塞又は開放可能とされている。一方、動脈側血液回路１の先端側（コネクタａ近傍）及び静脈側血液回路２の先端側（コネクタｂ近傍）には、流路を閉塞又は開放し得る電磁弁Ｖ１及びＶ２がそれぞれ接続されている。
【００４４】
収容手段１０（所謂「生理食塩液バッグ」と称されるもの）は、可撓性の透明な容器から成り、生理食塩液（プライミング液）を所定容量収容し得るもので、例えば透析装置本体に突設されたポール（不図示）の先端に取り付けられている。プライミング液供給ラインＬ８は、動脈側血液回路１における電磁弁Ｖ１と血液ポンプ４との間の部位に接続され、収容手段１０内の生理食塩液（プライミング液）を血液回路内に供給し得るものである。このプライミング液供給ラインＬ８の途中には、電磁弁Ｖ８が配設されており、当該プライミング液供給ラインＬ８の流路を閉塞又は開放し得るようになっている。
【００４５】
しかるに、治療前のプライミング時、動脈側血液回路１の先端と静脈側血液回路２の先端とを接続して連通（具体的には、コネクタａとコネクタｂとを接続して互いの流路を連通）可能とされている。ここで、プライミングとは、生理食塩液や透析液等のプライミング液を血液の流路（血液回路及びダイアライザ３の血液流路α）に供給し、当該流路を流動させることにより洗浄するとともに、当該プライミング液を血液の流路に充填させておく作業をいう。なお、本発明においては、透析液をダイアライザ３の透析液流路βに供給して洗浄し、充填させる所謂「ガスパージ」と称される作業もプライミングの一つの工程として定義するものとし、このときのプライミング液は、透析液導入ラインＬ１及び透析液排出ラインＬ２を流れる透析液とされる。
【００４６】
一方、本実施形態に係る電磁弁Ｖ１〜Ｖ９は、開閉動作により、配設された所定部位における流路を任意に閉塞又は開放し得る弁手段を構成するものであり、その開閉動作がマイコン等から成る制御手段１１にて制御されるよう構成されている。また、制御手段１１は、血液ポンプ４及び複式ポンプ７の駆動制御手段と電気的にそれぞれ接続されており、当該血液ポンプ４及び複式ポンプ７の駆動を制御することが可能とされている。かかる制御手段１１により、透析治療やプライミング時、任意の構成部品に対して必要な制御が行われ得るようになっている。
【００４７】
検出手段（１２ａ、１２ｂ）は、プライミング時、プライミング液（プライミング液供給ラインＬ８から供給される生理食塩液、又は透析液流路βに供給される透析液）内の不純物を検出可能なものであり、本実施形態においては、オーバーフローラインＬ７における電磁弁Ｖ９より先端側に配設された第１検出手段１２ａと、透析液排出ラインＬ２における電磁弁Ｖ４とバイパスラインＬ６の接続部との間の部位に配設された第２検出手段１２ｂとの２つを具備している。
【００４８】
具体的には、検出手段（１２ａ、１２ｂ）は、図３、４に示すように、プライミング液（生理食塩液又は透析液）に対して光を照射し得る発光手段１３と、プライミング液（生理食塩液又は透析液）を透過した発光手段１３からの透過光を受け得る受光手段１４と、受光手段１４による受光強度を検出し得る受光強度検出手段１５とを具備したセンサから成る。なお、受光強度検出手段１５は、制御手段１１と電気的に接続されており、当該受光強度検出手段１５で検出された受光強度を制御手段１１に送信可能とされている。
【００４９】
発光手段１３は、液体（プライミング液としての生理食塩液又は透析液）に対して光（本実施形態においては、紫外領域  ２００〜３５０（ｎｍ）の波長）を照射し得るＬＥＤから成る光源であり、図３に示すように、当該液体の流路（オーバーフローラインＬ７、透析液排出ラインＬ２）を挟んで受光手段１４と対向して配設されている。受光手段１４は、液体（プライミング液としての生理食塩液又は透析液）を透過した発光手段１３からの透過光を受け得るものであり、本実施形態においては、受光強度に応じた電圧を生じさせ得る受光素子から成る。
【００５０】
これにより、プライミング液（生理食塩液又は透析液）が流れた状態において発光手段１３から光を照射させれば、その照射された光が当該プライミング液を透過することとなるので、プライミング液における不純物の有無に応じて光の一部が吸収された後、受光手段１４にて受光することとなる。このようにして、受光手段１４による受光強度（すなわち、受光強度に応じて生じた電圧）を検出すれば、プライミング液の濃度の変化を検出することができるのである。
【００５１】
受光強度検出手段１５は、受光手段１４と電気的に接続されて当該受光手段１４による受光強度を検出し得るもので、本実施形態においては受光手段１４による受光強度に応じて生じた電圧をプライミング過程でリアルタイムに検出し得るようになっている。例えば、プライミング液内に不純物が混入している場合、図５に示すように、受光強度検出手段１５の検出値が変化（受光電圧（Ｖ）の一時的な低下）するので、予め閾値Ａを設定し、当該閾値Ａを検出値が超えたことを認識可能とすれば、プライミング液内の不純物を検出することが可能とされている。
【００５２】
また、上記構成の検出手段（１２ａ、１２ｂ）は、プライミング液内に気泡が混入している場合、受光強度検出手段１５の検出値が図５で示すグラフと同様に変化（受光電圧（Ｖ）の一時的な低下）するので、予め設定した閾値Ａを検出値が超えたことを認識させれば、プライミング液内の気泡を検出することが可能とされている。すなわち、本実施形態に係る検出手段（１２ａ、１２ｂ）は、受光強度検出手段１５で検出された受光強度に基づいて、プライミング液内の不純物に加えて、当該プライミング液内の気泡を検出し得るのである。
【００５３】
さらに、透析液排出ラインＬ２に配設された検出手段１２ｂは、プライミング後の治療中（血液浄化治療中）、透析液排出ラインＬ２を流れる透析液中の不純物の濃度を検出し得るよう構成されている。すなわち、治療中、透析液排出ラインＬ２に透析液が流れた状態において発光手段１３から光を照射させれば、その照射された光が透析液排出ラインＬ２にて流れる透析液（ダイアライザ３から排出された排液）を透過することとなるので、排液の濃度に応じて光の一部が吸収された後、受光手段１４にて受光することとなる。
【００５４】
しかして、受光強度検出手段１５にて受光手段１４による受光強度（すなわち、受光強度に応じて生じた電圧）を検出すれば、ダイアライザ３から排出された透析液の濃度の変化を検出することができるのである。これにより、血液浄化に伴って流れる液体（本実施形態においては、血液浄化手段としてのダイアライザ３から排出された透析液）の濃度を検出することにより、例えば尿素濃度の変化（「Ｋｔ／Ｖ」なる指標）をリアルタイムで把握することができ、透析治療中の血液浄化効率を監視することができる。
【００５５】
次に、上記構成の血液浄化装置におけるプライミング方法について説明する。
治療前のプライミング時、先ず、動脈側血液回路１の先端のコネクタａと静脈側血液回路２の先端のコネクタｂとを接続して互いの流路を連通させるとともに、制御手段１１の制御により、電磁弁Ｖ１、Ｖ２、Ｖ８、Ｖ９を開状態とする（図６参照）。これにより、収容手段１０内の生理食塩液（プライミング液）が自重によりプライミング液供給ラインＬ８を介して動脈側血液回路１に至り、当該動脈側血液回路１における血液ポンプ４の配設位置より上流側（コネクタａ側）、及び静脈側血液回路２に供給され、充填されることとなる（落差充填工程）。なお、上述の如く供給された生理食塩液のうち所定量は、オーバーフローラインＬ７から排出されるものとされている。
【００５６】
その後、図７に示すように、電磁弁Ｖ２を閉状態としつつ血液ポンプ４を正転駆動（治療時と同一方向の駆動）させることにより、収容手段１０内の生理食塩液（プライミング液）を動脈側エアトラップチャンバ５側へ供給させる。これにより、動脈側血液回路１における血液ポンプ４の配設位置より下流側（ダイアライザ３側）、ダイアライザ３における血液流路α、及び静脈側血液回路２におけるダイアライザ３と静脈側エアトラップチャンバ６との間に生理食塩液を供給するとともに、オーバーフローラインＬ７から排出させることができる（送液工程）。なお、電磁弁Ｖ２を閉状態としているが、電磁弁Ｖ２に代え、或いは電磁弁Ｖ２と共に、電磁弁Ｖ１を閉状態としてもよい。しかるに、動脈側エアトラップチャンバ５及び静脈側エアトラップチャンバ６は、使用時とは上下逆の状態（反転状態）としておくのが好ましい。
【００５７】
ここで、上記送液工程において、検出手段１２ａにて不純物及び気泡を検出し得るよう制御されている。すなわち、検出手段１２ａは、プライミングの送液工程時において、オーバーフローラインＬ７から排出される生理食塩液に不純物又は気泡が含有されているか否かを検出することができ、不純物や気泡が検出される状態（例えば、受光強度検出手段１５の検出値が閾値Ａを超えた状態）においては、洗浄が不十分であることが把握されるのである。
【００５８】
なお、本実施形態においては、上記落差充填工程の後、送液工程を行うものとされているが、当該落差充填工程と送液工程とを同時に行う（例えば、血液ポンプ４によるプライミング液（生理食塩液）の流量を制御して、動脈側エアトラップチャンバ５側に流れるプライミング液と静脈側エアトラップチャンバ４側に流れるプライミング液とを得る等）ものであってもよい。また、検出手段１２ａによる不純物及び気泡の検出は、上述の如く送液工程でのみ行われるものに限定されず、落差充填工程及び送液工程のそれぞれで行うよう構成してもよい。
【００５９】
そして、上記送液工程が所定時間行われた後、図８に示すように、血液ポンプ４の駆動を維持しつつ電磁弁Ｖ８を閉状態とする。これにより、動脈側血液回路１及び静脈側血液回路２（ダイアライザ３の血液流路αも同様）に充填された生理食塩液が循環することとなる（循環工程）。このような送液工程と循環工程とが繰り返し行われるよう制御され、検出手段１２ａによる不純物及び気泡の検出がない状態が所定時間継続したことを条件として、血液回路側のプライミングが終了することとなる。
【００６０】
その後、ガスパージ工程と称されるダイアライザ３側（透析液流路β）のプライミングが行われる。当該ガスパージ工程においては、図９に示すように、電磁弁Ｖ３、Ｖ４、Ｖ５を開状態及び電磁弁Ｖ６、Ｖ７を閉状態としつつ複式ポンプ７を駆動させる。これにより、透析液導入ラインＬ１から導入された透析液は、ダイアライザ３の透析液流路βを介して透析液排出ラインＬ２に至り、排出されることとなる。
【００６１】
ここで、上記ガスパージ工程において、検出手段１２ｂにて不純物及び気泡を検出し得るよう制御されている。すなわち、検出手段１２ｂは、プライミングのガスパージ工程時において、透析液排出ラインＬ２から排出される透析液に不純物又は気泡が含有されているか否かを検出することができ、不純物や気泡が検出される状態（例えば、受光強度検出手段１５の検出値が閾値Ａを超えた状態）においては、洗浄が不十分であることが把握されるのである。
【００６２】
そして、検出手段１２ｂによる不純物及び気泡の検出がない状態が所定時間継続したことを条件として、一連のプライミングが終了する。かかるプライミングが終了した後、コネクタａ、ｂの連結を外すとともに、当該コネクタａ、ｂに動脈側穿刺針及び静脈側穿刺針を取り付け、患者に穿刺して透析治療が行われることとなる。治療時においては、透析液排出ラインＬ２に配設された検出手段１２ｂにより、透析液排出ラインＬ２を流れる透析液中の不純物の濃度を検出することにより、血液浄化効率を監視することができる。
【００６３】
次に、本発明の第２の実施形態に係る血液浄化装置について説明する。
本実施形態に係る血液浄化装置は、第１の実施形態と同様、血液透析治療を行うための透析装置から成り、図１に示すように、動脈側血液回路１及び静脈側血液回路２から成る血液回路と、ダイアライザ３（血液浄化手段）と、しごき型の血液ポンプ４と、動脈側エアトラップチャンバ５と、静脈側エアトラップチャンバ６と、生理食塩液を収容した収容手段１０と、プライミング液供給ラインＬ８と、複式ポンプ７と、制御手段１１と、検出手段１２ｂ及び検出手段１６とから主に構成されている。ここで、本実施形態に係る血液回路は、第１の実施形態に係る検出手段１２ａに代えて、静脈側血液回路２の先端部に配設された検出手段１６を有するものとされている。なお、先の実施形態と同様の構成要素には、同一の符号を付し、それらの詳細な説明を省略する。
【００６４】
検出手段１６は、プライミング時、プライミング液内の不純物を検出可能なもので、第１の実施形態における検出手段（１２ａ、１２ｂ）と同様の構成とされている。かかる検出手段１６は、静脈側血液回路２の先端部（クランプ手段Ｖｂと静脈側エアトラップチャンバ６との間）に配設されており、当該静脈側血液回路２の先端から排出される生理食塩液（プライミング液）内の不純物及び気泡を検出可能とされている。
【００６５】
本実施形態に係る血液浄化装置におけるプライミング方法について以下に説明する。
先ず、図１０に示すように、ダイアライザ３に取り付けられる前の状態の動脈側血液回路１において、電磁弁Ｖ８を開状態とするとともに動脈側エアトラップチャンバ５を逆向き（使用時とは上下反対）とする。これにより、収容手段１０内の生理食塩液（プライミング液）を自重によりプライミング液供給ラインＬ８を介して動脈側血液回路１に至らせる。
【００６６】
そして、動脈側血液回路１の先端まで生理食塩液が至った状態にて、鉗子等のクランプ手段Ｖａにて流路を閉塞させた後、血液ポンプ４を駆動させることにより、動脈側血液回路１の下流側（ダイアライザ３との接続部側）に生理食塩液を供給させる。その後、図１１に示すように、動脈側血液回路１の基端をダイアライザ３（予め静脈側血液回路２が接続された状態とされている）に接続させるとともに、動脈側エアトラップチャンバ５の向きを反対として使用時の状態とする。
【００６７】
このとき、静脈側血液回路２の先端部に配設されたクランプ手段Ｖｂは開状態とされるとともに静脈側エアトラップチャンバ６を逆向き（使用時とは上下反対）とする。これにより、収容手段１０内の生理食塩液が動脈側血液回路１及び静脈側血液回路２に供給され、当該静脈側血液回路２の先端から排出される。ここで、本実施形態においては、検出手段１６により、静脈側血液回路２の先端から排出される生理食塩液に不純物及び気泡が含有しているか否かを検出し得るよう構成されている。
【００６８】
すなわち、検出手段１６は、プライミングにおいて、動脈側血液回路２の先端から排出される生理食塩液に不純物又は気泡が含有されているか否かを検出することができ、不純物や気泡が検出される状態（例えば、受光強度検出手段１５の検出値が閾値Ａを超えた状態）においては、洗浄が不十分であることが把握されるのである。かかる検出手段１６による不純物及び気泡の検出がない状態が所定時間継続したことを条件として、図１２に示すように、クランプ手段Ｖｂを閉状態とした後、静脈側エアトラップチャンバ６の向きを反対として使用時の状態とする。
【００６９】
これにより、血液回路側のプライミングが終了することとなる。その後、第１の実施形態と同様のガスパージ工程と称されるダイアライザ３側（透析液流路β）のプライミングが行われることとなる（図９参照）。かかるガスパージ工程においては、第１の実施形態と同様、検出手段１２ｂにて透析液排出ラインＬ２を流れる透析液内の不純物及び気泡が検出される。しかして、本実施形態に係る鉗子等のクランプ手段Ｖａ、Ｖｂのように、プライミング液の流路を手動操作にて開状態又は閉状態とする弁手段を用いることもできる。
【００７０】
次に、本発明の第３の実施形態に係る血液浄化装置について説明する。
本実施形態に係る血液浄化装置は、第１、２の実施形態と同様、血液透析治療を行うための透析装置から成り、図１３に示すように、動脈側血液回路１及び静脈側血液回路２から成る血液回路と、ダイアライザ３（血液浄化手段）と、しごき型の血液ポンプ４と、動脈側エアトラップチャンバ５と、静脈側エアトラップチャンバ６と、複式ポンプ７と、制御手段１１と、検出手段（１２ａ、１２ｂ）とから主に構成されている。なお、先の実施形態と同様の構成要素には、同一の符号を付し、それらの詳細な説明を省略する。
【００７１】
本実施形態に係る血液浄化装置におけるプライミング方法について以下に説明する。
治療前のプライミング時、図１４に示すように、動脈側血液回路１の先端のコネクタａと静脈側血液回路２の先端のコネクタｂとを接続して互いの流路を連通させるとともに、制御手段１１の制御により、電磁弁Ｖ４、Ｖ６、Ｖ７を閉状態、及び他の電磁弁（Ｖ１〜Ｖ３、Ｖ５、Ｖ９）を開状態とした後、複式ポンプ７を駆動させるとともに血液ポンプ４を逆転駆動（治療時と逆方向の駆動）させる。
【００７２】
しかして、透析液導入ラインＬ１から導入された透析液は、ダイアライザ３の中空糸膜Ｍ（血液浄化膜）を介して透析液流路βから血液流路αに濾過（逆濾過）され、当該血液流路αから動脈側血液回路１及び静脈側血液回路２に向かって流れることとなる。すなわち、本実施形態においては、ダイアライザ３の中空糸膜Ｍ（血液浄化膜）を介して透析液流路βから血液流路αに濾過（逆濾過）された透析液が血液回路に供給及び充填されるプライミング液とされるのである。なお、血液ポンプ４の駆動速度は、血液流路αに逆濾過された透析液が動脈側血液回路１及び静脈側血液回路２の双方に流れるよう設定されている。
【００７３】
上記の如き逆濾過によって動脈側血液回路１及び静脈側血液回路２に供給された透析液は、オーバーフローラインＬ７を介して外部に排出されるのであるが、その排出される際、検出手段１２ａにて不純物及び気泡を検出し得るよう制御されている。すなわち、検出手段１２ａは、プライミング時の逆濾過において、オーバーフローラインＬ７から排出される透析液に不純物又は気泡が含有されているか否かを検出することができ、不純物や気泡が検出される状態（例えば、受光強度検出手段１５の検出値が閾値Ａを超えた状態）においては、洗浄が不十分であることが把握されるのである。
【００７４】
しかるに、検出手段１２ａによる不純物及び気泡の検出がない状態が所定時間継続したことを条件として、血液回路側のプライミングが終了することとなる。その後、第１の実施形態と同様、ガスパージ工程と称されるダイアライザ３側（透析液流路β）のプライミングが行われ、検出手段１２ｂにて不純物及び気泡を検出し得るよう制御されている。すなわち、検出手段１２ｂは、プライミングのガスパージ工程時において、透析液排出ラインＬ２から排出される透析液に不純物又は気泡が含有されているか否かを検出することができ、不純物や気泡が検出される状態（例えば、受光強度検出手段１５の検出値が閾値Ａを超えた状態）においては、洗浄が不十分であることが把握されるのである。
【００７５】
そして、検出手段１２ｂによる不純物及び気泡の検出がない状態が所定時間継続したことを条件として、一連のプライミングが終了する。かかるプライミングが終了した後、コネクタａ、ｂの連結を外すとともに、当該コネクタａ、ｂに動脈側穿刺針及び静脈側穿刺針を取り付け、患者に穿刺して透析治療が行われることとなる。治療時においては、透析液排出ラインＬ２に配設された検出手段１２ｂにより、透析液排出ラインＬ２を流れる透析液中の不純物の濃度を検出することにより、血液浄化効率を監視することができる。
【００７６】
次に、本発明の第４の実施形態に係る血液浄化装置について説明する。
本実施形態に係る血液浄化装置は、第１〜３の実施形態と同様、血液透析治療を行うための透析装置から成り、図１５に示すように、動脈側血液回路１及び静脈側血液回路２から成る血液回路と、ダイアライザ３（血液浄化手段）と、しごき型の血液ポンプ４と、動脈側エアトラップチャンバ５と、静脈側エアトラップチャンバ６と、複式ポンプ７と、制御手段１１と、検出手段１２ｂと、連結ラインＬ９とから主に構成されている。なお、先の実施形態と同様の構成要素には、同一の符号を付し、それらの詳細な説明を省略する。
【００７７】
連結ラインＬ９は、基端が透析液導入ラインＬ１の採取ポート１７に取り付けられて接続されるとともに、先端が動脈側血液回路１における電磁弁Ｖ１と血液ポンプ４との間の部位に接続されている。すなわち、連結ラインＬ９は、透析液導入ラインＬ１と動脈側血液回路１とを連結する流路から成り、当該連結ラインＬ９を介して透析液導入ラインＬ１の透析液を血液回路（動脈側血液回路１）に供給可能とされているのである。
【００７８】
本実施形態に係る連結ラインＬ９は、透析液導入ラインＬ１と動脈側血液回路１とを連結する流路とされているが、これに代えて、透析液導入ラインＬ１と静脈側血液回路２とを連結する流路、又は透析液排出ラインＬ２と動脈側血液回路１若しくは静脈側血液回路２とを連結する流路であってもよい。なお、本実施形態に係る連結ラインＬ９の先端側（動脈側血液回路１との接続部位近傍）には、流路を閉塞又は開放し得る電磁弁Ｖ１０が配設されている。かかる電磁弁Ｖ１０に代えて補液ポンプを配設してもよい。
【００７９】
本実施形態に係る血液浄化装置におけるプライミング方法について以下に説明する。
治療前のプライミング時、動脈側血液回路１の先端のコネクタａと静脈側血液回路２の先端のコネクタｂとを接続して互いの流路を連通させるとともに、電磁弁Ｖ９を開状態としておく。そして、複式ポンプ７や血液ポンプ４等の駆動により、連結ラインＬ９を介して透析液導入ラインＬ１の透析液を血液回路に供給させて、当該血液回路及びダイアライザ３の血液流路αに対して透析液を充填させ、続いて、ダイアライザ３の透析液流路βに対しても透析液を充填させる。
【００８０】
なお、血液回路及びダイアライザ３の血液流路αに対する透析液の供給及び充填は、連結ラインＬ９を介して透析液を供給するものに限らず、例えばダイアライザ３の中空糸膜Ｍを逆濾過させた透析液を供給及び充填させるものとしてもよい。また、例えば動脈側血液回路１における血液ポンプ４と電磁弁Ｖ１との間にプライミング液としての生理食塩液を供給可能な収容バッグを備え、当該生理食塩液を血液回路に充填させるようにしてもよい。
【００８１】
その後、制御手段１１の制御により、図１６に示すように、電磁弁Ｖ３、Ｖ４、Ｖ１０を開状態、その他の電磁弁（Ｖ１、Ｖ２、Ｖ５〜Ｖ７、Ｖ９）を閉状態とするとともに、複式ポンプ７を駆動させつつ血液ポンプ４を正転駆動（治療時と同一方向の駆動）させる。これにより、透析液導入ラインＬ１における透析液の一部（血液ポンプ４による流量分）が連結ラインＬ９を介して血液回路（動脈側血液回路１）に供給されることとなる。
【００８２】
すなわち、本実施形態においては、連結ラインＬ９を介して供給された透析液が血液回路に供給及び充填されるプライミング液とされるのである。しかるに、複式ポンプ７は、透析液導入ラインＬ１との接続部（吸入側）を流れる透析液と、透析液排出ラインＬ２との接続部（吐出側）を流れる透析液とが等量となるよう駆動される構成とされており、かつ、閉回路とされた血液回路内に透析液導入ラインＬ１側の透析液が供給されることにより、血液流路αが透析液流路βに対して正圧となる。
【００８３】
しかして、血液ポンプ４の正転駆動による流量と略等しい透析液が、ダイアライザ３の中空糸膜Ｍ（血液浄化膜）を介して血液流路αから透析液流路βに濾過（正濾過）されることとなる。これにより、血液流路α及び透析液流路β内の保護剤に加え、ダイアライザ３の中空糸膜Ｍにおける微小な孔（ポア）内に充填されていた保護剤もプライミング液としての透析液と共に透析液排出ラインＬ２に排出して除去することができる。
【００８４】
上記の如き動脈側血液回路１及び静脈側血液回路２に供給された透析液は、正濾過によって透析液排出ラインＬ２を介して排出されるのであるが、その排出される際、検出手段１２ｂにて不純物及び気泡を検出し得るよう制御されている。すなわち、検出手段１２ｂは、プライミング時の正濾過において、透析液排出ラインＬ２から排出される透析液に不純物又は気泡が含有されているか否かを検出することができ、不純物や気泡が検出される状態（例えば、受光強度検出手段１５の検出値が閾値Ａを超えた状態）においては、洗浄が不十分であることが把握されるのである。そして、検出手段１２ｂによる不純物及び気泡の検出がない状態が所定時間継続したことを条件として、血液回路側及び透析液流路βのプライミングが終了することとなる。
【００８５】
なお、上記の如き正濾過が終了した後、図１７に示すように、電磁弁Ｖ１〜Ｖ７、Ｖ９、Ｖ１０の状態を維持しつつ血液ポンプ４を逆転駆動させることにより、ダイアライザ３の中空糸膜Ｍを介して透析液を逆濾過させるようにしてもよい。このとき、血液回路内のプライミング液（本実施形態においては透析液）が連結ラインＬ９を介して透析液導入ラインＬ１に供給されることとなる。
【００８６】
しかるに、複式ポンプ７は、透析液導入ラインＬ１との接続部（吸入側）を流れる透析液と、透析液排出ラインＬ２との接続部（吐出側）を流れる透析液とが等量となるよう駆動される構成とされており、かつ、閉回路とされた血液回路内の透析液が透析液導入ラインＬ１側に供給されることにより、透析液流路βが血液流路αに対して正圧となる。しかして、血液ポンプ４の逆転駆動による流量と略等しい透析液が、ダイアライザ３の中空糸膜Ｍ（血液浄化膜）を介して透析液流路βから血液流路αに濾過（逆濾過）されることとなる。これにより、プライミング時、ダイアライザ３の中空糸膜Ｍにおける微小な孔（ポア）に対し、正濾過時とは逆方向の流れで透析液を流通させることができるので、当該微小な孔の洗浄をより確実に行わせることができる。
【００８７】
そして、正濾過及び逆濾過を繰り返し行わせ、検出手段１２ｂによる不純物及び気泡の検出がない状態が所定時間継続したことを条件として、一連のプライミングが終了する。かかるプライミングが終了した後、コネクタａ、ｂの連結を外すとともに、当該コネクタａ、ｂに動脈側穿刺針及び静脈側穿刺針を取り付け、患者に穿刺して透析治療が行われることとなる。治療時においては、透析液排出ラインＬ２に配設された検出手段１２ｂにより、透析液排出ラインＬ２を流れる透析液中の不純物の濃度を検出することにより、血液浄化効率を監視することができる。
【００８８】
なお、上記の如く正濾過工程及び逆濾過工程を行わせるものに限定されず、プライミング時、ダイアライザ３（血液浄化手段）の中空糸膜Ｍ（血液浄化膜）を介して血液流路αから透析液流路βに透析液を濾過させる正濾過工程のみを行わせるものとし、ダイアライザ３（血液浄化手段）の中空糸膜Ｍ（血液浄化膜）を介して透析液流路βから血液流路αに透析液を濾過させる逆濾過工程を行わせないものとしてもよい。
【００８９】
上記第１〜４の実施形態によれば、プライミング時、プライミング液（生理食塩液又は透析液）内の不純物を検出するので、プライミングによる血液回路（動脈側血液回路１及び静脈側血液回路２）及び血液浄化膜（中空糸膜Ｍ）の洗浄をより確実に行わせることができるとともに、プライミング液の使用量を適正とすることができる。さらに、検出手段（１２ａ、１２ｂ、１６）は、受光強度検出手段１５で検出された受光強度に基づいて、プライミング液内の不純物に加えて、当該プライミング液内の気泡を検出し得るので、プライミング液内の不純物の検出機能と気泡の検出機能とを兼ね備えさせることができ、プライミング内の不純物を検出するための手段と気泡を検出するための手段とをそれぞれを具備したものに比べ、装置構成を簡素化することができ、製造コスト及びメンテナンスコストを低下させることができる。
【００９０】
また、プライミング液に対して光を照射し得る発光手段１３と、プライミング液を透過した発光手段１３からの透過光を受け得る受光手段１４と、受光手段１４による受光強度を検出し得る受光強度検出手段１５とを具備した検出手段（１２ａ、１２ｂ、１６）を有し、当該受光強度検出手段１５により検出された受光強度に基づきプライミング液内の不純物を検出し得るので、より高精度な不純物の検出を行わせることができる。
【００９１】
特に、検出手段（１２ａ、１２ｂ、１６）における光学的検出（光の照射及び受光）によりプライミング液内の不純物を検出可能とされているので、不純物の検出精度を高めることができるとともに、流路を流動するプライミング液中の不純物を検出可能であることから、プライミング液の採取等が不要とされ、不純物の検出を容易かつ円滑に行わせることができる。
【００９２】
またさらに、上記実施形態における検出手段１２ｂは、治療中、透析液排出ラインＬ２を流れる透析液中の不純物の濃度を検出し得るので、プライミング時においては、中空糸膜Ｍ（血液浄化膜）の洗浄を確認し得るとともに、治療時においては、中空糸膜Ｍ（血液浄化膜）にて血液から濾過された不純物の濃度に基づいて、透析効率を確認することができる。
【００９３】
また、第１、３の実施形態によれば、静脈側血液回路２に接続された静脈側エアトラップチャンバ６から延設され、当該静脈側血液回路２に供給されたプライミング液を外部に排出し得るオーバーフローラインＬ７を具備するとともに、検出手段１２ａは、当該オーバーフローラインＬ７に配設されたので、オーバーフローラインＬ７から排出されるプライミング液内の不純物を検出することができ、より確実に不純物を外部に排出させることができる。なお、検出手段１２ａが配設されるオーバーフローラインは、静脈側血液回路２に接続された静脈側エアトラップチャンバ６から延設されたものに限らず、動脈側血液回路１に接続された動脈側エアトラップチャンバ５から延設されたものであってもよい。
【００９４】
さらに、第１〜４の実施形態によれば、検出手段１２ｂは、透析液排出ラインＬ２に配設されたので、透析液排出ラインＬ２を流れるプライミング液内の不純物を検出することができ、血液流路αに加え、透析液流路βの洗浄を確実に行わせることができる。特に、第４の実施形態によれば、プライミング時、ダイアライザ３の中空糸膜Ｍ（血液浄化膜）を介して血液流路αから透析液流路βに透析液を濾過させる正濾過工程を行わせる制御手段１１を具備するとともに、検出手段１２ｂは、当該正濾過工程時に透析液排出ラインＬ２を流れるプライミング液内の不純物を検出可能とされたので、中空糸膜Ｍ（血液浄化膜）に形成された孔（ポア）に充填された不純物も確実に除去することができ、中空糸膜Ｍの洗浄をより確実に行わせることができ、かつ、透析液排出ラインＬ２を介して不純物を確実に外部へ排出させることができる。
【００９５】
以上、本実施形態について説明したが、本発明はこれらに限定されるものではなく、例えば検出手段（１２ａ、１２ｂ、１６）は、上記の如き透過型センサに限定されず、光を反射させる反射型センサとしてもよい。すなわち、検出手段（１２ａ、１２ｂ、１６）として、プライミング液に対して光を照射し得る発光手段と、プライミング液を反射した発光手段からの反射光を受け得る受光手段と、受光手段による受光強度を検出し得る受光強度検出手段とを具備し、当該受光強度検出手段により検出された受光強度に基づきプライミング液内の不純物を検出し得るものであってもよいのである。
【００９６】
さらに、検出手段（１２ａ、１２ｂ、１６）に代えて、光学的センサ以外のセンサ（例えば、浸透圧を検出し得るセンサ等）としてもよい。すなわち、プライミング液は、通常、血液と略程度の浸透圧である生理食塩液や透析液が使用されるのであるが、ダイアライザ３の中空糸膜Ｍに塗布される保護剤や血液浄化膜の製造又は滅菌工程で生じた溶出物や残留薬液等の不純物を含有していると、浸透圧が低下するので、当該浸透圧の低下を検出することにより、プライミング液内の不純物を検出することができるのである。
【００９７】
また、検出手段（１２ａ、１２ｂ、１６）は、オーバーフローラインＬ７又は透析液排出ラインＬ２に配設されるものに限定されず、プライミング液が流れる任意の流路に配設するようにしてもよい。さらに、本実施形態においては、血液浄化手段として中空糸膜Ｍを有したダイアライザ３とされているが、当該ダイアライザ３に限定されるものではなく、中空糸膜Ｍとは異なる血液浄化膜を有した他の形態の血液浄化手段としてもよい。
【００９８】
さらに、適用される血液回路は、動脈側血液回路１に動脈側エアトラップチャンバ５が接続されていないもの（すなわち、静脈側血液回路２のみに静脈側エアトラップチャンバ６が接続されたもの）、或いはＴ字管等の接続手段を介して種々の副ラインが接続されたもの等であってもよい。なお、本実施形態においては、透析治療時に用いられる血液透析装置に適用しているが、患者の血液を体外循環させつつ浄化し得る他の装置（例えば血液濾過透析法、血液濾過法、ＡＦＢＦで使用される血液浄化装置、血漿吸着装置など）に適用してもよい。
【産業上の利用可能性】
【００９９】
血液浄化治療前に血液浄化手段の血液浄化膜には保護剤が塗布されており、当該治療前のプライミング時、血液回路及び血液浄化手段の血液流路と、血液浄化手段の透析液流路とにプライミング液を供給して充填可能とされた血液浄化装置及びそのプライミング方法において、プライミング時、プライミング液に含まれる不純物としての保護剤を検出し、その保護剤が検出されなくなったことを条件としてプライミングを終了させるものであれば、他の形態及び用途のものにも適用することができる。
【符号の説明】
【０１００】
１  動脈側血液回路
２  静脈側血液回路
３  ダイアライザ（血液浄化手段）
４  血液ポンプ
５  動脈側エアトラップチャンバ
６  静脈側エアトラップチャンバ
７  複式ポンプ
８  除水ポンプ
９ａ、９ｂ  濾過フィルタ
１０  収容手段
１１  制御手段
１２ａ、１２ｂ  検出手段
１３  発光手段
１４  受光手段
１５  受光強度検出手段
１６  検出手段
１７  採取ポート
Ｌ１  透析液導入ライン
Ｌ２  透析液排出ライン
Ｍ  中空糸膜（血液浄化膜）
α  血液流路
β  透析液流路
【図１】
0006053107.tif 000002
【図２】
0006053107.tif 000003
【図３】
0006053107.tif 000004
【図４】
0006053107.tif 000005
【図５】
0006053107.tif 000006
【図６】
0006053107.tif 000007
【図７】
0006053107.tif 000008
【図８】
0006053107.tif 000009
【図９】
0006053107.tif 000010
【図１０】
0006053107.tif 000011
【図１１】
0006053107.tif 000012
【図１２】
0006053107.tif 000013
【図１３】
0006053107.tif 000014
【図１４】
0006053107.tif 000015
【図１５】
0006053107.tif 000016
【図１６】
0006053107.tif 000017
【図１７】
0006053107.tif 000018